(57)【要約】      （修正有）【課題】拡大虚像が浮いて或いは沈んで現出するとともに、目視角度により各拡大虚像が回転方向に動作し且つ各拡大虚像の回転角度や回転方向が同一ではない演出を可能とし使用者に意外性による驚きと楽しさを感じさせる表示シートを提供する。【解決手段】透明な基板１１と、基板の表面側に設けられた複数の凸レンズ１２により構成される凸レンズ部１３と、基板の裏面側に設けられた模様部１４とを備え、複数の凸レンズは相互に同一の間隔寸法で配置されると共に模様部を構成する模様１６も相互に同一の間隔寸法で配置される一方、凸レンズの配置ピッチと模様の配置ピッチは異なるように形成された表示シート１０において、模様は方向性を有する図柄により構成されると共に基板の任意の位置に設けられた中心部に向かって収斂するように配置されている。【選択図】図１
0003189471.tif 000002
【実用新案登録請求の範囲】
【請求項１】
透明な基板と、上記基板の表面側に設けられた複数の凸レンズにより構成される凸レンズ部と、上記基板の裏面側に設けられた模様部とを備え、上記凸レンズ部を構成する複数の凸レンズは相互に同一の間隔寸法で配置されると共に上記模様部を構成する模様も相互に同一の間隔寸法で配置される一方、上記凸レンズの配置ピッチと上記模様の配置ピッチは異なるように形成された表示シートにおいて、
上記模様は方向性を有する図柄により構成されると共に基板の任意の位置に設けられた中心部に向かって収斂するように配置されていることを特徴とする表示シート。
【請求項２】
上記模様部は、矢印により形成されていることを特徴とする請求項１記載の表示シート。
【請求項３】
上記凸レンズ部及び模様部は印刷により形成されていることを特徴とする請求項１記載の表示シート。
【請求項４】
上記凸レンズ部は、ＵＶ印刷により形成されていることを特徴とする請求項３記載の表示シート。
【請求項５】
上記模様部は、シルクスクリーン印刷により形成されていることを特徴とする請求項３記載の表示シート。
【請求項６】
上記模様部の外方には模様部の背景となる白色印刷部が設けられていることを特徴とする請求項１記載の表示シート。
【考案の詳細な説明】
【技術分野】
【０００１】
本考案は、表示シートの改良に関するものである。
【背景技術】
【０００２】
従来、凸レンズ層および透明基板層および画素層を有する虚像現出装飾体であって、凸レンズ配置ピッチと画素配置ピッチを異なるピッチで形成することにより拡大虚像が浮き或いは沈んで現出し、さらに規則的に画素の角度を回転させて描くことで、目視角度により該拡大虚像が回転して見えるという虚像現出装飾体の発明は特許文献１により既に提案されている。
【０００３】
しかしながら、この発明によっては該装飾体に対する目視角度を変化させた際に拡大虚像の各々が個別の回転方向へ回転をするという効果は得られるものではなく、回転角度も各拡大虚像により大小異なるような効果もないため、該装飾体全体として使用者が拡大虚像がランダムに動くように感じられる意外性は提供出来なかった。
【特許文献１】特許第３９５２１４７号公報
【考案の開示】
【考案が解決しようとする課題】
【０００４】
そこで、本願考案は、このような従来の要請に基づくものであって、拡大虚像が浮いて或いは沈んで現出するとともに、目視角度により各拡大虚像が回転方向に動作し且つ各拡大虚像の回転角度や回転方向が同一ではない演出を可能とし使用者に意外性による驚きと楽しさを感じさせる表示シートを提供することを課題とする。
【課題を解決するための手段】
【０００５】
上記課題を解決するために請求項１記載の考案にあっては、透明な基板と、上記基板の表面側に設けられた複数の凸レンズにより構成される凸レンズ部と、上記基板の裏面側に設けられた模様部とを備え、上記凸レンズ部を構成する複数の凸レンズは相互に同一の間隔寸法で配置されると共に上記模様部を構成する模様も相互に同一の間隔寸法で配置される一方、上記凸レンズの配置ピッチと上記模様の配置ピッチは異なるように形成された表示シートにおいて、上記模様は方向性を有する図柄により構成されると共に基板の任意の位置に設けられた中心部に向かって収斂するように配置されていることを特徴とする。従って、凸レンズ側より表示シートを目視すると拡大虚像が現出する。
【０００６】
請求項２記載の考案にあっては、上記模様部が、矢印により形成されていることを特徴とする。従って、凸レンズ側より表示シートを目視すると矢印の拡大虚像が現出する。
【０００７】
請求項３記載の考案にあっては、上記凸レンズ部及び模様部は印刷により形成されていることを特徴とする。従って、複数の構成部材から構成される積層構造を必要としない。
【０００８】
請求項４記載の考案にあっては、上記凸レンズ部は、ＵＶ印刷により形成されていることを特徴とする。
【０００９】
請求項５記載の考案にあっては、上記模様部は、シルクスクリーン印刷により形成されていることを特徴とする。
【００１０】
請求項６記載の考案にあっては、上記模様部の外方には模様部の背景となる白色印刷部が設けられていることを特徴とする。従って、目視した際の拡大虚像の背景が白地背景となる。
【考案の効果】
【００１１】
請求項１および請求項２に記載の表示シートにあっては、凸レンズ側より表示シートを目視することにより模様の拡大虚像が現出するとともに該拡大虚像は基板面よりも浮き出して或いは沈んで現出する。
さらに模様が基板の任意の位置に設けられた中心部に収斂するように描かれているため、基板面に対する目視角度を変化させると、各々の拡大虚像が個別の回転方向へ個別の回転角度をもって滑らかに回転する。従って、利用者に意外性による驚きと楽しさを与えることができる。
【００１２】
請求項３から５に記載の表示シートにあっては、請求項１記載の表示シートの凸レンズ部及び模様部が印刷により形成されていることから、複数の構成部材から構成される積層構造を必要とせず低コストで生産できる。
【００１３】
請求項６に記載の表示シートにあっては、請求項１記載の表示シートの模様部の外方には模様部の背景となる白色印刷部が設けられていることから、背景が白地背景となり実写背景の写り込みがなくなるので、より鮮明に拡大虚像を見ることができる。
【図面の簡単な説明】
【００１４】
【図１】図１は、本考案に係る表示シートの一実施形態の構造を示した断面図である。
【図２】図２は、本考案に係る表示シートの一実施形態を示し、凸レンズの配置およびピッチの例を示した平面図である。
【図３】図３は、本考案に係る表示シートの一実施形態を示し、模様の配置およびピッチの例を示し、模様は矢印である場合の平面図である。
【図４】図４は、本考案に係る表示シートの一実施形態を示し、図１から図３の構成を備えた表示シートを凸レンズ側より目視することで沈んで現出する拡大虚像を示した平面図である。
【図５】図５は、本考案に係る表示シートの一実施形態を示し、図４の表示シートについて基板に対する目視角度を変化させた際の沈んで現出する拡大虚像を図示した平面図である。
【考案を実施するための最良の形態】
【００１５】
以下、本考案を実施の形態に基づき、図面を参照して詳細に説明する。なお、本考案の表示シートは、以下の実施例に限定されるものではなく、本考案の要旨を逸脱しない範囲内において種々変更を加え得ることは勿論である。
【００１６】
図１から図３に示すように、本実施の形態に係る表示シート１０は、透明な基板（アクリル板）１１と、上記アクリル板１１の表面側にＵＶ印刷により設けられた複数の凸レンズ１２により構成される凸レンズ部１３と、上記アクリル板１１の裏面側にシルクスクリーン印刷により設けられた模様部１４とを備え、さらに模様部１４の外方には背景となる白色印刷部１５が設けられている。
また、上記凸レンズ部１３を構成する複数の凸レンズ１２は相互に同一の０．６５４ｍｍの間隔寸法で配置されると共に上記模様部１４を構成する模様１６も相互に同一の０．６３６ｍｍの間隔寸法で配置される一方、上記凸レンズの配置ピッチ１７（０．６５４ｍｍ）と上記模様の配置ピッチ１８（０．６３６ｍｍ）は異なるように形成されている。
【００１７】
さらに、上記模様１６は方向性を有する模様１６である矢印により構成されると共に該模様１６（矢印）の先端部２１は基板１１の任意の位置に設けられた中心部１９に向かって収斂するように配置されている。
【００１８】
以下、本実施の形態に係る表示シート１０の作用について図４および図５を参照して説明する。
本実施の形態に係る表示シート１０は、以上のような構成を有することから、表面側より目視することにより、矢印の拡大虚像（矢印）２０が現出する。また該矢印の拡大虚像（矢印）２０は基板１１よりも沈んで（奥側に）現出する。基板１１に対してある角度から目視したときの中心部周辺の拡大虚像（矢印）２０の向きが図４であるが、模様（矢印）１６の先端部２１を中心部１９に収斂するように配列したことにより、基板１１に対する視線の角度を変化させると例えば図５のように変化して見え、周辺の個々の拡大虚像（矢印）２０が時計回りあるいは反時計回りのように異なる回転方向で回転するとともに、個々の拡大虚像（矢印）２０により異なる回転角度で回転するという視覚的動作を得ることができる。
従って、使用者には基板１１に対する目視角度を変化させた際に上記のように拡大虚像２０が不思議な動きをして見え意外性による驚きと楽しさを提供することができる。
【００１９】
上記実施の形態においては、基板１１がアクリル板である例を説明したがこれに限定されるものではなく、ポリカーボネートのほか透明性を有する板であれば良い。
【００２０】
上記実施の形態においては、凸レンズ部１３をＵＶ印刷で形成する方法を例に説明したがこれに限定されるものではなく、他の印刷手法によって形成されても良いし、樹脂等の成型過程で形成されても良い。
【００２１】
上記実施の形態においては、模様部１４をシルクスクリーン印刷にて形成する方法を例に説明したがこれに限定されるものではなく、他の印刷手法によって形成されても良い。
【００２２】
上記実施の形態においては、模様部１４の外方に白色印刷部１５を設けた例を説明したが、背景色である該印刷は必須のものではなく、また白色以外の他の色であっても良い。
【００２３】
上記実施の形態においては、模様１６が矢印である場合を例に説明したがこれに限定されるものではなく、方向性が認識出来るものであれば良く例えば十字状のものやハート型等でも良い。
【００２４】
上記実施の形態においては、凸レンズの配置ピッチ１７を０．６５４ｍｍ、模様の配置ピッチ１８を０．６３６ｍｍとした例を説明したが、これらのピッチは互いに同一でなければ良く、凸レンズの配置ピッチ１７よりも模様の配置ピッチ１８が大きくても良い。同時に各配置ピッチをどの程度に設定するかは基板１１の厚みや目的とする演出等により適宜選択されるものである。
【産業上の利用可能性】
【００２５】
本考案は、従来にない模様の配置方法によって新たな装飾効果を発現する表示シートであって、文具や玩具等の様々な分野での利用が可能であり産業上利用可能性を有している。
【符号の説明】
【００２６】
１０  表示シート
１１  基板（アクリル板）
１２  凸レンズ
１３  凸レンズ部
１４  模様部
１５  白色印刷部
１６  模様（矢印）
１７  凸レンズの配置ピッチ
１８  模様の配置ピッチ
１９  中心部
２０  拡大虚像（矢印）
２１  先端部
【図１】
0003189471.tif 000003
【図２】
0003189471.tif 000004
【図３】
0003189471.tif 000005
【図４】
0003189471.tif 000006
【図５】
0003189471.tif 000007